(57)【要約】【課題】本発明は、構造が簡単でかつ、スリムで、モジュール化が容易な有機発光表示装置を提供する。【解決手段】本発明は有機発光表示装置及びその製造方法に関する。本発明による有機発光表示装置は、複数の薄膜トランジスタ及び発光層が形成されている表示領域と表示領域の周囲に沿って配置されている周辺領域とを有する表示パネル、周辺領域に備えられて薄膜トランジスタにゲート信号及びデータ信号を含む表示信号を印加する少なくとも一つの駆動部、周辺領域に形成されて表示領域に駆動電圧及び共通電圧のうち、少なくとも一つを印加する電圧パッド、電圧パッドに駆動電圧及び共通電圧のうち、少なくとも一つを印加する外部電圧源入力部、外部電圧源入力部と電圧パッドを接続する金属ワイヤ、及び金属ワイヤを電圧パッドに固定する導電性固定部材を含む。【選択図】図１
2008046635.tif 000002
【特許請求の範囲】
【請求項１】
複数の薄膜トランジスタ及び発光層が形成されている表示領域と前記表示領域の周囲に沿って配置されている周辺領域とを有する表示パネルと、
前記周辺領域に備えられて前記薄膜トランジスタにゲート信号及びデータ信号を含む表示信号を印加する少なくとも一つの駆動部と、
前記周辺領域に形成されて前記表示領域に駆動電圧及び共通電圧のうち、少なくとも一つを印加する電圧パッドと、
前記電圧パッドに前記駆動電圧及び共通電圧のうち、少なくとも一つを印加する外部電圧源入力部と、
前記外部電圧源入力部と前記電圧パッドを接続する金属ワイヤと、
前記金属ワイヤを前記電圧パッドに固定する導電性固定部材と、
を含むことを特徴とする有機発光表示装置。
【請求項２】
前記金属ワイヤの直径は、０．０５ｍｍ乃至０．５ｍｍであることを特徴とする請求項１に記載の有機発光表示装置。
【請求項３】
前記金属ワイヤを覆っている絶縁被覆をさらに含み、
前記絶縁被覆は前記導電性固定部材によって固定された前記金属ワイヤ部分において除去されていることを特徴とする請求項１に記載の有機発光表示装置。
【請求項４】
前記導電性固定部材は、半田付けによって形成された鉛または硬化された導電樹脂を含むことを特徴とする請求項１に記載の有機発光表示装置。
【請求項５】
前記電圧パッド上に形成されている異方性導電フィルムと、
前記異方性導電フィルム上に形成され、前記金属ワイヤ及び前記導電性固定部材を囲んでいるフレキシブル導電フィルムと、
をさらに含むことを特徴とする請求項１に記載の有機発光表示装置。
【請求項６】
前記周辺領域に沿って形成され、前記導電性固定部材及び前記金属ワイヤを覆う絶縁樹脂をさらに含むことを特徴とする請求項１に記載の有機発光表示装置。
【請求項７】
前記表示パネルの前記表示領域を覆う封止部材をさらに含むことを特徴とする請求項１に記載の有機発光表示装置。
【請求項８】
前記金属ワイヤは前記封止部材の側面に沿って形成されていることを特徴とする請求項７に記載の有機発光表示装置。
【請求項９】
前記駆動部は、
前記表示信号を生成する回路基板と、
前記表示パネルと前記回路基板を接続するフレキシブル部材と、
前記回路基板から受信されたデータ信号を前記薄膜トランジスタに印加するデータ駆動部と、
を含むことを特徴とする請求項１に記載の有機発光表示装置。
【請求項１０】
前記駆動部は、前記薄膜トランジスタにゲート信号を印加する少なくとも一つのゲート駆動部をさらに含むことを特徴とする請求項９に記載の有機発光表示装置。
【請求項１１】
前記外部電圧源入力部は、前記回路基板に接続されていることを特徴とする請求項９に記載の有機発光表示装置。
【請求項１２】
前記電圧パッドは、前記表示領域を間に置いて前記ゲート駆動部または前記データ駆動部が形成されている周辺領域の対向側周辺領域に形成されている駆動電圧パッド及び共通電圧パッドのうち、少なくとも何れか一つであることを特徴とする請求項１０に記載の有機発光表示装置。
【請求項１３】
前記ゲート駆動部または前記データ駆動部は複数備えられて、
前記電圧パッドは複数の前記ゲート駆動部または前記データ駆動部の間に形成されている駆動電圧パッド及び共通電圧パッドのうち、少なくとも何れか一つであることを特徴とする請求項１０に記載の有機発光表示装置。
【請求項１４】
薄膜トランジスタ及び発光層が形成されている表示領域及び前記表示領域の周囲に沿って備えられて、前記表示領域に駆動電圧及び共通電圧のうち少なくとも一つを印加する電圧パッドが形成されている周辺領域を有する表示パネルを提供し、
一端が外部電圧源入力部と接続される金属ワイヤを前記周辺領域に配置し、
導電性固定部材を用いて前記電圧パッド上に前記金属ワイヤを固定し、
前記周辺領域に沿って前記導電性固定部材及び前記金属ワイヤを覆う絶縁樹脂を形成すること
を含むことを特徴とする有機発光表示装置の製造方法。
【請求項１５】
前記表示パネルを提供することと前記金属ワイヤを前記周辺領域に配置することとの間に、
前記表示パネル上に前記表示領域を覆う封止部材を形成することをさらに含むことを特徴とする請求項１４に記載の有機発光表示装置の製造方法。
【請求項１６】
前記表示パネルを提供することと前記金属ワイヤを前記周辺領域に配置することとの間に、
前記電圧パッド上に異方性導電フィルムを用いてフレキシブル導電フィルムの一部を取り付けること
をさらに含むことを特徴とする請求項１４に記載の有機発光表示装置の製造方法。
【請求項１７】
前記導電性固定部材を用いて前記電圧パッド上に前記金属ワイヤを固定すること以降に、
前記フレキシブル導電フィルムを折り曲げて前記金属ワイヤ及び前記導電性固定部材を囲むことをさらに含むことを特徴とする請求項１６に記載の有機発光表示装置の製造方法。
【請求項１８】
前記導電性固定部材は鉛を含み、
前記電圧パッド上に前記金属ワイヤを固定することは、前記鉛を半田付けすることによって行われることを特徴とする請求項１４に記載の有機発光表示装置の製造方法。
【請求項１９】
前記導電性固定部材は硬化された導電樹脂を含み、
前記電圧パッド上に前記金属ワイヤを固定することは、
硬化剤が含まれた液状またはゲル状の導電樹脂組成物を前記電圧パッド上の前記金属ワイヤ部分に塗布し、前記導電樹脂組成物を硬化することを含むことを特徴とする請求項１４に記載の有機発光表示装置の製造方法。
【請求項２０】
前記表示パネルの提供には、
前記薄膜トランジスタにゲート信号及びデータ信号を含む表示信号を印加する少なくとも一つの駆動部を前記周辺領域に形成することをさらに含むことを特徴とする請求項１４に記載の有機発光表示装置の製造方法。
【発明の詳細な説明】
【技術分野】
【０００１】
本発明は有機発光表示装置に関する。
【背景技術】
【０００２】
フラットパネルディスプレイ装置のうち、低電圧駆動、軽量薄型、広視野角、そして高速応答などの長所を有する有機発光表示装置（ＯＬＥＤ）が最近注目されている。
【０００３】
有機発光表示装置は、画像を形成する表示パネルと表示パネルを駆動するための駆動部とを含む。表示パネルには、一つの画素を形成するためのゲート線とデータ線との交差点に形成されるスイッチング薄膜トランジスタと、駆動電圧を印加する駆動電圧線に接続された駆動薄膜トランジスタとが形成される。また、表示パネルの周りには共通電極に印加される共通電圧と、駆動電圧線に印加される駆動電圧とを供給するための電圧パッドが各々形成される。
【０００４】
有機発光表示装置が大型化され、高解像度のために画素の数が増加する分、共通電圧及び駆動電圧も十分な量が供給されなければならない。現在、安定的な電源供給と基板全体の均一性の向上のために、共通電圧または駆動電圧を駆動部と別途に備えられたＰＣＢ（印刷回路基板）及びＦＰＣ（フレキシブル印刷回路）を用いて表示パネルの周りから供給している。
【０００５】
しかし、複数のＰＣＢを使用する場合、ＰＣＢ設置による有機発光表示装置の厚さと製造費用の増加及び複雑化するＰＣＢ構造によって、モジュール化作業が容易ではない問題がある。
【発明の開示】
【発明が解決しようとする課題】
【０００６】
本発明が解決しようとする技術的課題は、簡単な構造を有し、薄く、モジュール化が容易な有機発光表示装置及びその製造方法を提供することである。
【課題を解決するための手段】
【０００７】
本発明の一実施形態による有機発光表示装置は、複数の薄膜トランジスタ及び発光層が形成されている表示領域と表示領域の周囲に沿って配置されている周辺領域を有する表示パネルと、周辺領域に備えられて薄膜トランジスタにゲート信号及びデータ信号を含む表示信号を印加する少なくとも一つの駆動部と、周辺領域に形成されて表示領域に駆動電圧及び共通電圧のうち少なくとも一つを印加する電圧パッドと、電圧パッドに駆動電圧及び共通電圧のうち少なくとも一つを印加する外部電圧源入力部と、外部電圧源入力部と電圧パッドとを接続する金属ワイヤと、金属ワイヤを電圧パッドに固定する導電性固定部材と、を含む。
【０００８】
金属ワイヤの直径は０．０５ｍｍ乃至０．５ｍｍであってもよい。
【０００９】
金属ワイヤを覆っている絶縁被覆をさらに含み、絶縁被覆は導電性固定部材によって固定された金属ワイヤ部分において除去されてもよい。
【００１０】
導電性固定部材は、半田付けによって形成された鉛または硬化された導電樹脂を含んでもよい。
【００１１】
電圧パッド上に形成されている異方性導電フィルム、そして異方性導電フィルム上に形成されて、金属ワイヤ及び導電性固定部材を囲んでいるフレキシブル導電フィルムをさらに含んでもよい。
【００１２】
周辺領域に沿って形成されて導電性固定部材及び金属ワイヤを覆う絶縁樹脂をさらに含んでもよい。
【００１３】
表示パネルの表示領域を覆う封止部材をさらに含んでもよい。
【００１４】
金属ワイヤは封止部材の側面に沿って形成されてもよい。
【００１５】
駆動部は、表示信号を生成する回路基板、表示パネルと回路基板とを接続するフレキシブル部材、そして回路基板から受信されたデータ信号を薄膜トランジスタに印加するデータ駆動部を含んでもよい。
【００１６】
駆動部は、薄膜トランジスタにゲート信号を印加する少なくとも一つのゲート駆動部をさらに含んでもよい。
【００１７】
外部電圧源入力部は回路基板に接続される。
【００１８】
電圧パッドは、表示領域を間に置いて、ゲート駆動部またはデータ駆動部が形成される周辺領域の対向側周辺領域に形成される駆動電圧パッド及び共通電圧パッドのうち少なくとも何れか一つであってもよい。
【００１９】
ゲート駆動部またはデータ駆動部は、複数備えられ、電圧パッドは複数のゲート駆動部またはデータ駆動部の間に形成される駆動電圧パッド及び共通電圧パッドのうち少なくとも何れか一つであってもよい。
【００２０】
一方、本発明の一実施形態による有機発光表示装置の製造方法は、薄膜トランジスタ及び発光層が形成される表示領域及び表示領域の周囲に沿って備えられて、表示領域に駆動電圧及び共通電圧のうち少なくとも一つを印加する電圧パッドが形成される周辺領域を有する表示パネルを提供すること、一端が外部電圧源入力部と接続される金属ワイヤを周辺領域に配置すること、導電性固定部材を用いて電圧パッド上に金属ワイヤを固定すること、周辺領域に沿って導電性固定部材及び金属ワイヤを覆う絶縁樹脂を形成するすること、を含む。
【００２１】
表示パネルを提供することと金属ワイヤを周辺領域に配置することとの間に、表示パネル上に表示領域を覆う封止部材を形成することをさらに含んでもよい。
【００２２】
表示パネルを提供することと金属ワイヤを周辺領域に配置することとの間に、電圧パッド上に異方性導電フィルムを用いてフレキシブル導電フィルムの一部を取り付けることをさらに含んでもよい。
【００２３】
導電性固定部材を用いて電圧パッド上に金属ワイヤを固定すること以降に、前記フレキシブル導電フィルムを折り曲げて前記金属ワイヤ及び導電性固定部材を囲むことをさらに含んでもよい。
【００２４】
導電性固定部材は鉛を含み、電圧パッド上に金属ワイヤを固定することは鉛を半田付けすることによって行われる。
【００２５】
導電性固定部材は、硬化された導電樹脂を含み、電圧パッド上に金属ワイヤを固定することは、硬化剤が含まれた液状またはゲル状の導電樹脂組成物を電圧パッド上の金属ワイヤ部分に塗布することと導電樹脂組成物を硬化することとを含んでもよい。
【００２６】
表示パネルの提供には、薄膜トランジスタにゲート信号及びデータ信号を含む表示信号を印加する少なくとも一つの駆動部を周辺領域に形成することをさらに含んでもよい。
【発明の効果】
【００２７】
本発明によると、構造が簡単でかつ、薄く、モジュール化が容易な有機発光表示装置及びその製造方法が提供される。
【発明を実施するための最良の形態】
【００２８】
以下、図を参照して本発明の実施形態について本発明の属する技術分野における通常の知識を有する者が容易に実施できるように詳細に説明する。しかし、本発明は多様な形態で実現でき、ここで説明する実施形態に限定されない。
【００２９】
図面において、明確に表現するために多様な層及び領域の厚さを拡大して示す。明細書全体にわたって類似する部分については同一図面符号を付ける。層膜、領域、板などの部分が他の部分の「上」にあるとするとき、これは他の部分の「直ぐ上」にある場合だけでなく、その中間に他の部分がある場合も含む。
【００３０】
まず、本発明の第１の実施形態による有機発光表示装置について図１乃至図４を参照して詳細に説明する。
【００３１】
図１は本発明の第１の実施形態による有機発光表示装置の分解斜視図、図２は本発明の第１の実施形態による有機発光表示装置の等価回路図、図３は本発明の第１の実施形態による有機発光表示装置の表示パネルの平面図、図４は図３の有機発光表示装置の表示パネルをＩＶ-ＩＶ線による断面図を各々示す。
【００３２】
本発明の第１の実施形態による有機発光表示装置は、表示パネル１００と、表示パネル１００の表示領域（Ａ）を覆う封止部材２００の封止基板と、表示パネル１００を保護及び支持するパネルカバー３００と、を含む。また、有機発光表示装置は、回路基板１３６がパネルカバー３００上部に位置するとき、回路基板１３６を保護するための回路基板カバー４００をさらに含む。
【００３３】
表示パネル１００は、画像を表示する表示領域（Ａ）と表示領域（Ａ）の外郭の周辺領域とを含む。
【００３４】
図２に示したように、表示領域（Ａ）には複数の信号線１２１、１７１、１７２と、これらに接続されてほぼマトリックス状に配列された複数の画素とが形成される。
【００３５】
信号線は、ゲート信号（または走査信号）を伝達する複数のゲート線１２１、データ信号を伝達する複数のデータ線１７１及び駆動電圧を伝達する複数の駆動電圧線１７２を含む。ゲート線１２１はほぼ行方向に延びて互いに殆んど平行に配置され、データ線１７１と駆動電圧線１７２はほぼ列方向に延びて互いに殆んど平行に配置される。
【００３６】
各画素（ＰＸ）は、スイッチングトランジスタ（Ｑｓ）、駆動トランジスタ（Ｑｄ）、ストレージキャパシタ（Ｃｓｔ）及び有機発光ダイオード（ＯＬＥＤ）（ＬＤ）を含む。
【００３７】
スイッチングトランジスタ（Ｑｓ）は、制御端子、入力端子及び出力端子を有するが、制御端子はゲート線１２１に接続、入力端子はデータ線１７１に接続、出力端子は駆動トランジスタ（Ｑｄ）に各々接続される。スイッチングトランジスタ（Ｑｓ）は、ゲート線１２１に印加される走査信号に応答してデータ線１７１に印加されるデータ信号を駆動トランジスタ（Ｑｄ）に伝達する。
【００３８】
駆動トランジスタ（Ｑｄ）も、制御端子、入力端子及び出力端子を有するが、制御端子はスイッチングトランジスタ（Ｑｓ）に接続され、入力端子は駆動電圧線１７２に接続され、出力端子は有機発光ダイオード（ＬＤ）に接続される。駆動トランジスタ（Ｑｄ）は制御端子と出力端子との間にかかる電圧に応じてその大きさが変動する出力電流（ＩＬＤ）を流す。
【００３９】
ストレージキャパシタ（Ｃｓｔ）は、駆動トランジスタ（Ｑｄ）の制御端子と入力端子との間に接続される。このストレージキャパシタ（Ｃｓｔ）は、駆動トランジスタ（Ｑｄ）の制御端子に印加されるデータ信号を充電してスイッチングトランジスタ（Ｑｓ）が遮断された後にも充電したデータ信号を維持する。
【００４０】
有機発光ダイオード（ＬＤ）は、駆動トランジスタ（Ｑｄ）の出力端子に接続されているアノードと共通電圧（Ｖｓｓ）に接続されているカソードとを有する。有機発光ダイオード（ＬＤ）は、駆動トランジスタ（Ｑｄ）の出力電流（ＩＬＤ）によって異なる強さで発光することにより映像を表示する。
【００４１】
スイッチングトランジスタ（Ｑｓ）及び駆動トランジスタ（Ｑｄ）は、ｎ-チャンネル電界効果トランジスタ（ＦＥＴ）である。しかし、スイッチングトランジスタ（Ｑｓ）及び駆動トランジスタ（Ｑｄ）のうち少なくとも一つは、ｐ-チャンネル電界効果トランジスタであってもよい。また、トランジスタ（Ｑｓ、Ｑｄ）、キャパシタ（Ｃｓｔ）及び有機発光ダイオード（ＬＤ）の接続関係は変えてもよい。
【００４２】
一方、表示領域の周辺領域には駆動電圧線１７２の一端に接続される駆動電圧パッド１４０及び共通電極２０と電気的に接続される共通電圧パッド１５０が形成される。
【００４３】
駆動電圧パッド１４０は、表示領域（Ａ）を間に置いてデータ駆動部１３２の対向側の周辺領域に互いに所定間隔をおいて複数形成される。駆動電圧パッド１４０は、外部電圧源入力部１３８から印加される所定レベルの駆動電圧を駆動電圧ケーブル１８０の金属ワイヤ１８２を通して駆動電圧線１７２に印加する。
【００４４】
共通電圧パッド１５０は、表示領域（Ａ）を間に置いてゲート駆動部１２０の対向側の周辺領域に互いに所定間隔をおいて複数形成される。共通電圧パッド１５０は、外部電圧源入力部１３８から印加される所定レベルの共通電圧を共通電圧ケーブル１８１の金属ワイヤ１８２を通して共通電極２０に印加する。
【００４５】
両電圧パッド１４０、１５０は、ゲート金属材料のような配線形成材料で形成されてもよく、配線形成材料だけでなく伝導性を有するいかなる金属層を含んでもよく、ＩＴＯまたはＩＺＯで形成されてもよい。
【００４６】
電圧パッド１４０、１５０の位置は前述した位置に限定されず、周辺領域内においてその位置変更が可能であり、その個数も表示領域の大きさなどを考慮して増減できる。
【００４７】
共通電圧パッド１５０が形成される周辺領域の対向側周辺領域にはゲート駆動部１２０が装着される。また、駆動電圧パッド１４０が形成される周辺領域の対向側の周辺領域には、ゲート信号及びデータ信号を含む駆動信号を生成するメイン駆動部１３０が装着される。
【００４８】
ゲート駆動部１２０は、メイン駆動部１３０の回路基板１３６から受信されたゲート信号をゲート線１２１に伝達する。ゲート駆動部１２０は、ＣＯＧ（ｃｈｉｐ  ｏｎ  ｇｌａｓｓ）方式で表示パネル１００に実装される。ゲート駆動部１２０がチップ状で表示パネル１００に実装される場合、回路基板１３６から出力されたゲートオン／オフ電圧はデータ駆動部１３２及び表示パネル１００上に形成される微細配線パターン（図示せず）を通してゲート駆動部１２０に提供される。つまり、本発明の第１の実施形態による有機発光表示装置は、ゲート駆動部１２０に接続される別途の回路基板を含まない。
【００４９】
一方、ゲート駆動部１２０は、チップではなく、各ゲート線１２１の端部と接続されるシフトレジスタを含んでもよい。シフトレジスタは、表示パネル１００に形成されている複数のトランジスタで構成され、信号配線形成時に表示パネル１００に直接形成する。ゲート駆動部１２０がシフトレジスタで形成される場合でも、ゲート線１２１に印加されるゲートオン／オフ電圧及び各種表示信号は、電気配線を通してシフトレジスタに直接的に伝えるため、別途の回路基板を要しない。
【００５０】
一方、前記とは異なって、ゲート駆動部１２０はその近隣に備えられる別途の回路基板（図示せず）を介して、ゲートオン／オフ電圧及び各種表示信号を受信してもよい。
【００５１】
メイン駆動部１３０は、データ駆動部１３２、フレキシブル部材１３４及び回路基板１３６を含む。データ駆動部１３２は、フレキシブル部材１３４上に形成されて、回路基板１３６から受信したデータ信号をデータ線１７１に印加する。フレキシブル部材１３４は、回路基板１３６と表示パネル１００とを物理的及び電気的に接続する。フレキシブル部材１３４は、表示パネル１００、回路基板１３６に各々異方性導電フィルム（図示せず）を用いて取り付けられてもよい。フレキシブル部材１３４は柔軟な可撓性を有して容易に変形できる。図示していないが、フレキシブル部材１３４には、データ駆動部１３２を表示パネル１００と回路基板１３６とに電気的に接続するための微細配線が形成される。
【００５２】
回路基板１３６は、フレキシブル部材１３４を介してデータ駆動部１３２に接続されて、ゲート電圧、データ電圧などの表示領域（Ａ）に提供される各種電圧を生成する電圧生成部と、ゲート駆動部１２０とデータ駆動部１３２とに提供される各種表示信号を出力するタイミングコントローラとを含む。
【００５３】
第２の実施形態によると、回路基板１３６は、階調電圧を生成する部分と表示信号を受ける部分とに分離されて複数備えられる。つまり、データ駆動部１３２に接続されている複数の回路基板１３６は、互いに接続されてもよい。回路基板１３６には、外部の電圧源及び映像信号の供給を受けるための外部電圧源入力部１３８が連結される。
【００５４】
本実施形態において、表示パネル１００は背面の発光層１０から発光した光が射出して映像が表示される。従って、回路基板１３６は、表示パネル１００が完成した後、光が射出されて映像が表示される側とは反対側に折り曲げられる。つまり、データ駆動部１３２に接続された回路基板１３６は、背面から発光する表示パネル１００の正面で折り曲げられてパネルカバー３００の上部に位置する。
【００５５】
表示領域（Ａ）内のゲート線１２１及びデータ線１７１は、周辺領域に延長されてゲート駆動部１２０及びデータ駆動部１３２と接続される。接続部分には、延長されたゲート線１２１の配線間隔がしだいに狭くなるゲートファンアウト部１２３と、データ線１７１の配線間隔がしだいに狭くなるデータファンアウト部１３３とが形成される。
【００５６】
表示パネル１００の正面上には封止部材２００の封止基板が接合される。封止部材２００の封止基板は、表示パネル１００の表示領域（Ａ）に面するように配置された後、表示パネル１００に接合される。封止部材２００の封止基板の厚さは通常０．５ｍｍ乃至１．０ｍｍの厚さを有するが、これに限定されることはない。封止部材２００の封止基板は、表示領域（Ａ）に形成される発光層１０に水分及び酸素が浸透することを防止して、発光層１０の劣化を防止する。表示パネル１００の表示領域（Ａ）の最上部に形成される共通電極２０と封止部材２００の封止基板との間には、有機物質及び／または無機物質で構成される遮断フィルム及び／または保護フィルムが形成されてもよい。遮断フィルム及び／または保護フィルムは、熱または光によって硬化される物質で構成されることが一般的であって、これによって表示パネル１００と封止部材２００の封止基板が容易に接合される。
【００５７】
封止部材２００の封止基板の側面に沿って左側周辺領域及び下部周辺領域には駆動電圧ケーブル１８０が配置されており、右側周辺領域には共通電圧ケーブル１８１が配置されている。
【００５８】
両電圧ケーブル１８０、１８１とこれに対応する電圧パッド１４０、１５０との間の具体的な結合は、駆動電圧ケーブル１８０及び駆動電圧パッド１４０を一例として説明する。
【００５９】
駆動電圧ケーブル１８０は、金属ワイヤ１８２及び金属ワイヤ１８２を囲んでいる絶縁被覆１８４を含む。駆動電圧ケーブル１８０は、回路基板１３６を経て、封止部材２００の封止基板の側面に沿って表示パネル１００の左側周辺領域及び下部周辺領域に配置される。駆動電圧ケーブル１８０は、一端が外部電圧源入力部１３８に接続され、他端が表示パネル１００の下部周辺領域に形成される複数の駆動電圧パッド１４０のうち、最も右側の駆動電圧パッド１４０に接続される。
【００６０】
金属ワイヤ１８２の材料は、電気伝導率が優れた銅、アルミニウム、金、銀及びこれらの合金などを含む。金属ワイヤ１８２の直径は、これに限定されることはないが、抵抗の増加による電圧降下現象を減少させながらも、通常封止部材２００の封止基板の厚さが０．５ｍｍ乃至１．０ｍｍであることを考慮して、封止部材２００上に突出されないように直径が０．０５ｍｍ乃至０．５ｍｍであるのが望ましい。
【００６１】
絶縁被覆１８４は、導電性固定部材１９０によって金属ワイヤ１８２がフレキシブル導電フィルム１６５及び異方性導電フィルム１６０を通じて駆動電圧パッド１４０と電気的に接続される部分においては除去される。しかし、絶縁被覆１８４は表示パネル１００の周辺領域に形成される微細配線が絶縁物質によって十分に囲まれ、保護樹脂１９５によって外部との絶縁ができる場合には、周辺領域全体で省略できる。この保護樹脂１９５は、半田フラックスの成分に混入させて、そのまま用いることができる。
【００６２】
駆動電圧パッド１４０上には異方性導電フィルム１６０が取り付けられる。異方性導電フィルム１６０は、駆動電圧パッド１４０、フレキシブル導電フィルム１６５及び金属ワイヤ１８２間の電気的接触効率を向上させ、物理的な衝撃を緩和させる機能を有する。
【００６３】
フレキシブル導電フィルム１６５の一部は、異方性導電フィルム１６０と金属ワイヤ１８２との間に位置し、残りの部分は上部に折り曲げられて金属ワイヤ１８２を固定する導電性固定部材１９０を囲む。
【００６４】
フレキシブル導電フィルム１６５は、電気伝導率が優れた銅などを含む薄い金属フィルムや、薄い金属フィルムと、金属フィルムを囲む絶縁樹脂を含んでもよい。フレキシブル導電フィルム１６５が薄い金属フィルムと絶縁樹脂とを含む場合、異方性導電フィルム１６０と金属ワイヤ１８２との間に位置する部分においては電気的な疎通を円滑にするために絶縁樹脂は除去される。
【００６５】
導電性固定部材１９０は、絶縁被覆１８４が除去されて露出した金属ワイヤ１８２をフレキシブル導電フィルム１６５に固定して、金属ワイヤ１８２と駆動電圧パッド１４０とを電気的に接続する。導電性固定部材１９０は、固化した半田合金であることが多いが、鉛含有合金または硬化して電気伝導率が優れた公知の導電樹脂であってもよい。なお、導電性固定部材が鉛含有合金である場合は毒性物質と考えられるが、図４、図８Ｂのフレキシブル導電フィルム１６５、または図１０の保護樹脂１９５のような被覆物が形成されるので、有毒物質の大気中飛散または接触による中毒の可能性は少ない。
【００６６】
共通電圧ケーブル１８１も金属ワイヤ１８２及び金属ワイヤ１８２を覆う絶縁被覆１８４を含む。共通電圧ケーブル１８１は、回路基板１３６を経て、封止部材２００の封止基板の側面に沿って表示パネル１００の右側周辺領域に配置される。共通電圧ケーブル１８１は、一端が外部電圧源入力部１３８に接続され、他端は表示パネル１００の右側周辺領域に形成される複数の共通電圧パッド１５０のうち、最も下側の共通電圧パッド１５０まで接続される。
【００６７】
共通電圧ケーブル１８１の金属ワイヤ１８２の材料及び直径は、駆動電圧ケーブル１８０の金属ワイヤ１８２の材料及び直径と同一である。
【００６８】
共通電圧ケーブル１８１と共通電圧パッド１５０との電気的な接続関係は、駆動電圧ケーブル１８０と駆動電圧パッド１４０との電気的な接続関係と同一であるため、詳細な説明は省略する。
【００６９】
封止部材２００の封止基板上にはパネルカバー３００が形成される。パネルカバー３００は、表示パネル１００に封止部材２００の封止基板が接合され、回路基板１３６が接続され、電圧ケーブル１８０、１８１が周辺領域に沿って配置、固定された後に、封止部材２００の封止基板の上に形成される。パネルカバー３００は、表示パネル１００を包装して運搬を容易にし、表示パネル１００を支持して表示パネル１００を保護する役割を果たす。パネルカバー３００は、表示パネル１００上に形成される複数の信号配線及び電圧パッド１４０、１５０と電気的に導通しないように絶縁物質で構成される。パネルカバー３００は、軽いながらも強度が強い絶縁樹脂などを含んでもよい。
【００７０】
本実施形態とは異なって、両電圧パッド１４０、１５０に対応する駆動電圧及び共通電圧を入力する外部電圧源入力部１３８は、回路基板１３６に連結されずに、パネルカバー３００に備えられてもよい。この場合、電圧ケーブル１８０、１８１が周辺領域から回路基板１３６まで延長して配置される必要がなく、周辺領域でパネルカバー３００に配置された外部電圧源入力部１３８に直接接続できる。
【００７１】
外部電圧源入力部１３８は、外部電圧源（図示せず）によって生成された所定レベルの駆動電圧及び共通電圧を対応する電圧ケーブル１８０、１８１を通して、フレキシブル導電フィルム１６５及び異方性導電フィルム１６０に電気的に接続される駆動電圧パッド１４０及び共通電圧パッド１５０に印加する。
【００７２】
回路基板カバー４００は、パネルカバー３００の上部に配置され、外部に露出される回路基板１３６を保護する。回路基板カバー４００は、通常絶縁樹脂材料で薄い板状に形成され、ネジまたは所定の結合部材（図示せず）によってパネルカバー３００に固定される。
【００７３】
従来の場合、回路基板１３６を通して外部電圧源入力部１３８から入力された共通電圧及び駆動電圧は、複数のフレキシブルフィルム及びＰＣＢを通して各電圧パッド１４０、１５０に伝達された。従って、複数のＰＣＢによって表示パネル１００の側面が複雑な構造を有して、有機発光表示装置の厚さが増加し、モジュール化が容易でない問題があった。
【００７４】
しかし、本発明の第１の実施形態における有機発光表示装置によると、外部電圧源入力部１３８から駆動電圧及び共通電圧を対応する両電圧パッド１４０、１５０に入力する複雑な構造の複数のＰＣＢの代わりに、簡単な構造を有する電圧ケーブル１８０、１８１がこれを代替する。従って、駆動電圧及び共通電圧の安定的な供給を行いながら、表示パネル１００の周辺領域の構成が簡単になり、有機発光表示装置がスリム化し、モジュール化作業が容易になる。
【００７５】
以下、図１に示した有機発光表示装置の本発明の第１の実施形態による製造方法について、図１乃至図８Ｂを参照して説明する。
【００７６】
図５Ａ、図６Ａ、図７Ａ及び図８Ａは、図１に示した本発明の第１の実施形態による有機発光表示装置の製造方法の中間工程における表示パネルの平面図であり、図５Ｂ、図６Ｂ、図７Ｂ及び図８Ｂは、各々図５Ａ、図６Ａ、図７Ａ及び図８Ａに示した有機発光表示装置の表示パネルのＶｂ-Ｖｂ線、ＶＩｂ-ＶＩｂ線、ＶＩＩｂ-ＶＩＩｂ線及びＶＩＩＩｂ-ＶＩＩＩｂ線による断面図である。
【００７７】
まず、表示領域（Ａ）と表示領域（Ａ）の周囲に沿って備えられる非表示領域とを有する表示パネル１００が提供される。表示領域（Ａ）には、薄膜トランジスタ（Ｑｓ、Ｑｄ）及び発光層１０が公知の方法で形成される。表示領域（Ａ）の下部周辺領域には、表示領域（Ａ）に形成された駆動電圧線１７２に駆動電圧を印加する複数の駆動電圧パッド１４０が公知の方法によって形成される。表示領域（Ａ）の右側周辺領域には、表示領域（Ａ）に形成された共通電極２０に共通電圧を印加する複数の共通電圧パッド１５０が公知の方法によって形成される。
【００７８】
一方、表示パネル１００を提供する工程においては、表示領域（Ａ）の左側周辺領域にゲート駆動部１２０が公知の方法で形成され、上部周辺領域にはデータ駆動部１３２を含むメイン駆動部１３０も共に形成される。
【００７９】
この後、表示パネル１００上に表示領域（Ａ）を覆う封止部材２００の封止基板を形成すると、図５Ａ及び図５Ｂに示されるように封止部材２００が取り付けられた表示パネル１００が提供される。
【００８０】
この後、図６Ａ及び図６Ｂに示されるように、両電圧パッド１４０、１５０上に各々異方性導電フィルム１６０を用いてフレキシブル導電フィルム１６５の一部が取り付けられる。
【００８１】
各電圧パッド１４０、１５０とフレキシブル導電フィルム１６５との接続は、各電圧パッド１４０、１５０上に異方性導電フィルム１６０及びフレキシブル導電フィルム１６５の一部分を順次積層して、フレキシブル導電フィルム１６５の上から圧力を加えるプレスすることにより行われる。これによって、各電圧パッド１４０、１５０とフレキシブル導電フィルム１６５とは異方性導電フィルム１６０を介して、物理的、電気的に接続される。
【００８２】
この後、図７Ａ及び図７Ｂに示されるように、一端が外部電圧源入力部１３８に接続される両電圧ケーブル１８０、１８１を表示パネル１００の周辺領域に沿って配置する。
【００８３】
駆動電圧ケーブル１８０は、外部電圧源入力部１３８から回路基板１３６を経て封止部材２００の側面に沿って左側周辺領域に形成された複数のゲートファンアウト部１２３の上を通過した後、下部周辺領域に形成された複数の駆動電圧パッド１４０上に配置される。このとき、各駆動電圧パッド１４０の上に配置された駆動電圧ケーブル１８０においては、絶縁被覆１８４が除去されて金属ワイヤ１８２が露出される。
【００８４】
一方、共通電圧ケーブル１８１は、外部電圧源入力部１３８から回路基板１３６を経て封止部材２００の側面に沿って右側周辺領域に形成された複数の共通電圧パッド１５０上に配置される。このとき、各共通電圧パッド１５０の上に配置された共通電圧ケーブル１８１においても絶縁被覆１８４が除去されて金属ワイヤ１８２が露出される。
【００８５】
その後、各電圧パッド１４０、１５０上に取り付けられているフレキシブル導電フィルム１６５部分に対応する電圧ケーブル１８０、１８１の露出された金属ワイヤ１８２を、鉛を含む導電性固定部材１９０を使用した半田付けで固定する。つまり、半田付けによって、各金属ワイヤ１８２は異方性導電フィルム１６０及びフレキシブル導電フィルム１６５を介して各電圧パッド１４０、１５０上に固定される。図７Ａでは便宜のために導電性固定部材１９０は図示しない。
【００８６】
一方、硬化された導電樹脂を含む導電性固定部材１９０を用いて、各金属ワイヤ１８２を対応する電圧パッド１４０、１５０上に固定する場合には、電圧パッド１４０、１５０上に露出された各金属ワイヤ１８２に液状またはゲル状の導電樹脂組成物を塗布した後、熱または紫外線硬化により導電樹脂組成物を硬化する。
【００８７】
この後、図８Ａ及び図８Ｂに示されるように、異方性導電フィルム１６０及び導電性固定部材１９０に取り付けられていないフレキシブル導電フィルム１６５を上部に折り曲げて金属ワイヤ１８２及び導電性固定部材１９０を囲む。
【００８８】
この後、図３及び図４に示されるように周辺領域に沿って導電性固定部材１９０及び電圧ケーブル１８０、１８１を固定して保護するシリコンなどの材料を含む液状またはゲル状の絶縁樹脂組成物を塗布して硬化して周辺領域に絶縁樹脂を形成する。
【００８９】
その後、封止部材２００上にパネルカバー３００を連結してフレキシブル部材１３４を曲げて回路基板１３６をパネルカバー３００上に配置した後、回路基板カバー４００をパネルカバー３００に連結することにより、本発明の第１の実施形態による有機発光表示装置の製造が完了する。
【００９０】
以下、図９及び図１０に示す本発明の第２の実施形態による有機発光表示装置を、図１に示した本発明の第１の実施形態による有機発光表示装置と異なる点を中心に説明する。
【００９１】
図９は本発明の第２の実施形態による有機発光表示装置の表示パネルの平面図であり、図１０は図９の有機発光表示装置の表示パネルをＸ-Ｘ線に沿って切断した断面図である。
【００９２】
図９及び図１０に示した本発明の第２の実施形態による有機発光表示装置は、各電圧パッド１４０、１５０と金属ワイヤ１８２との間に異方性導電フィルム１６０及びフレキシブル導電フィルム１６５が形成されないことを除いて、図１に示した本発明の第１の実施形態による有機発光表示装置と同様である。
【００９３】
各金属ワイヤ１８２は対応する電圧パッド１４０及び１５０と離隔されずに導電性固定部材１９０によって物理的及び電気的に接続される。従って、異方性導電フィルム１６０及びフレキシブル導電フィルム１６５を使用する場合に比べて、抵抗がさらに減少して電圧降下現象を改善でき、有機発光表示装置の電気的性能がさらに向上する。
【００９４】
以下、図１１に示す本発明の第３の実施形態による有機発光表示装置を、図１に示した本発明の第１の実施形態による有機発光表示装置と異なる点を中心に説明する。
【００９５】
図１１は本発明の第３の実施形態による有機発光表示装置の表示パネルの平面図である。図１１に示した本発明の第３の実施形態による有機発光表示装置は、メイン駆動部１３１のデータ駆動部１３２がフレキシブル部材１３４に装着されず、ＣＯＧ方式のように表示パネル１００の周辺領域に装着される。また、駆動電圧パッド１４０が下部周辺領域でなく左側周辺領域に位置するゲート駆動部１２０の間に形成されることを除いて、図１に示した本発明の第１の実施形態による有機発光表示装置と同様である。一方、本実施形態とは異なって、駆動電圧パッド１４０は上部周辺領域に位置するデータ駆動部１３２の間に形成されてもよい。
【００９６】
以下、図１２に示す本発明の第４の実施形態による有機発光表示装置について、図１に示した本発明の第１の実施形態による有機発光表示装置と異なる点を中心に説明する。
【００９７】
図１２は本発明の第４の実施形態による有機発光表示装置の表示パネルの平面図である。図１２に示した本発明の第４の実施形態による有機発光表示装置は、駆動電圧パッド１４１及び共通電圧パッド１５１が所定間隔をおいて周辺領域に複数形成されずに、下部及び右側周辺領域に沿って棒形状に各々一つずつ形成される。また、各電圧ケーブル１８０、１８１の金属ワイヤ１８２は、半田付けされた鉛を含む導電性固定部材１９０によって各電圧パッド１４１、１５１に固定されて接続され、駆動電圧及び共通電圧を対応する電圧パッド１４１、１５１に印加する。
【００９８】
図１０乃至図１２に各々示した本発明の他の実施形態による有機発光表示装置によっても、図１に示した本発明の第１の実施形態による有機発光表示装置と同様の効果を得ることができる。
【００９９】
前記の実施形態では駆動電圧及び共通電圧全てを対応する駆動電圧ケーブル１８０及び共通電圧ケーブル１８２を用いて印加すると説明したが、駆動電圧及び共通電圧のうちの何れか一つだけに対応する電圧ケーブル１８０、１８１を用いて印加して、残りは公知のＦＰＣを用いて印加してもよい。
【０１００】
以上、本発明の望ましい実施形態について詳細に説明したが、本発明の権利範囲はこれに限定されることはなく、特許請求の範囲で定義している本発明の基本概念を利用した当業者の多様な変形及び改良形態も、本発明の権利範囲に属する。
【図面の簡単な説明】
【０１０１】
【図１】本発明の第１の実施形態による有機発光表示装置の分解斜視図である。
【図２】本発明の第１の実施形態による有機発光表示装置の等価回路図である。
【図３】本発明の第１の実施形態による有機発光表示装置の表示パネルの平面図である。
【図４】図３の有機発光表示装置の表示パネルのＩＶ-ＩＶ線による断面図である。
【図５Ａ】図１に示した有機発光表示装置を本発明の第１の実施形態による製造方法の中間工程における表示パネルの平面図である。
【図５Ｂ】図５Ａに示した有機発光表示装置の表示パネルのＶｂ-Ｖｂ線による断面図である。
【図６Ａ】図１に示した有機発光表示装置を本発明の第１の実施形態による製造方法の中間工程における表示パネルの平面図である。
【図６Ｂ】図６Ａに示した有機発光表示装置の表示パネルのＶＩｂ-ＶＩｂ線による断面図である。
【図７Ａ】図１に示した有機発光表示装置を本発明の第１の実施形態による製造方法の中間工程における表示パネルの平面図である。
【図７Ｂ】図７Ａに示した有機発光表示装置の表示パネルのＶＩＩｂ-ＶＩＩｂ線による断面図である。
【図８Ａ】図１に示した有機発光表示装置を本発明の第１の実施形態による製造方法の中間工程における表示パネルの平面図である。
【図８Ｂ】図８Ａに示した有機発光表示装置の表示パネルのＶＩＩＩｂ-ＶＩＩＩｂ線による断面図である。
【図９】本発明の第２の実施形態による有機発光表示装置の表示パネルの平面図である。
【図１０】図９の有機発光表示装置の表示パネルのＸ-Ｘ線による断面図である。
【図１１】本発明の第３の実施形態による有機発光表示装置の表示パネルの平面図である。
【図１２】本発明の第４の実施形態による有機発光表示装置の表示パネルの平面図である。
【符号の説明】
【０１０２】
１０      発光層
２０      共通電極
１００      表示パネル
１２０      ゲート駆動部
１２１      ゲート線
１２３      ゲートファンアウト部
１３０、１３１      メイン駆動部
１３２      データ駆動部
１３３      データファンアウト部
１３４      フレキシブル部材
１３６      回路基板
１３８      外部電圧源入力部
１４０、１４１      駆動電圧パッド
１５０、１５１      共通電圧パッド
１６０      異方性導電フィルム
１６５      フレキシブル導電フィルム
１７１      データ線
１７２      駆動電圧線
１８０、１８１      電圧ケーブル
１８２      金属ワイヤ
１８４      絶縁被覆
１９０      導電性固定部材
１９５      保護樹脂
２００      封止基板
３００      パネルカバー
４００      回路基板カバー
【図１】
2008046635.tif 000003
【図２】
2008046635.tif 000004
【図３】
2008046635.tif 000005
【図４】
2008046635.tif 000006
【図５Ａ】
2008046635.tif 000007
【図５Ｂ】
2008046635.tif 000008
【図６Ａ】
2008046635.tif 000009
【図６Ｂ】
2008046635.tif 000010
【図７Ａ】
2008046635.tif 000011
【図７Ｂ】
2008046635.tif 000012
【図８Ａ】
2008046635.tif 000013
【図８Ｂ】
2008046635.tif 000014
【図９】
2008046635.tif 000015
【図１０】
2008046635.tif 000016
【図１１】
2008046635.tif 000017
【図１２】
2008046635.tif 000018